(57)【要約】【課題】  画像形成ジョブの途中でキャリブレーションを行う場合であっても画像の濃度又は色味の変動を適切な範囲内に抑えるようにする。解像度【解決手段】画像形成ジョブの開始時の画像の濃度または色彩値をジョブ中目標値として記憶する。画像形成ジョブ中はこのジョブ中目標値を目指してキャリブレーションを行うので、予め固定された目標値を目指してジョブ中キャリブレーションを行う場合と比較して、ジョブ中における画像の濃度又は色味の変動を適切な範囲内に抑えることができる。【選択図】      図４
2005103850.tif 000002
【特許請求の範囲】
【請求項１】
画像を形成する処理が連続して行われる画像形成ジョブの途中において、該画像を形成するための画像形成条件を補正するジョブ中補正手段を備えており、
該ジョブ中補正手段は、
前記補正の目標値を生成するか否かを判断するための生成条件を記憶した条件記憶手段と、
前記条件記憶手段によって記憶されている生成条件が満たされるか否かを判断する判断手段と、
前記判断手段によって前記生成条件が満たされると判断された場合に、所定のパッチ画像を記録媒体に形成し、形成したパッチ画像の濃度または色彩値を検出し、検出した濃度または色彩値を前記画像形成ジョブにおいて用いるべき目標値として記憶する目標値記憶手段と、
前記目標値が記憶された時から前記画像形成ジョブが終了する時までの期間においては、あるタイミングで記録媒体に前記パッチ画像を形成し、形成したパッチ画像の濃度または色彩値を検出し、検出した濃度または色彩値と前記記憶手段によって記憶されている目標値とが近づくように前記画像形成条件を補正する条件補正手段と
を備える画像形成装置。
【請求項２】
前記条件記憶手段は、画像形成ジョブが開始される場合又はその開始後の或る期間が経過した場合には前記目標値を生成することを前記生成条件として記憶しており、
前記判断手段によって、画像形成ジョブが開始されるか又はその開始後の或る期間が経過したと判断されると、
前記目標値記憶手段は、前記パッチ画像を記録媒体に形成し、形成したパッチ画像の濃度または色彩値を検出して前記目標値として記憶する請求項１記載の画像形成装置。
【請求項３】
前記条件記憶手段は、前記記録媒体の種類が変更された場合又は画像を形成するために用いるスクリーンの種類が変更された場合には前記目標値を生成することを前記生成条件として記憶しており、
前記判断手段によって前記記録媒体の種類が変更されたか又は前記スクリーンの種類が変更されたと判断されると、
前記目標値記憶手段は、前記パッチ画像を記録媒体に形成し、形成したパッチ画像の濃度または色彩値を検出して前記目標値として記憶する請求項１記載の画像形成装置。
【請求項４】
前記記録媒体の種類又は前記スクリーンの種類は、画像形成ジョブの途中に変更されるか、又は、画像形成ジョブと画像形成ジョブとの間に変更される請求項３記載の画像形成装置。
【請求項５】
前記条件記憶手段は、前回行われた画像形成ジョブの途中に前記画像形成条件が補正されていない場合には今回行う画像形成ジョブにおいて前記目標値を生成することを前記生成条件として記憶しており、
前記判断手段によって、前回行われた画像形成ジョブの途中に前記画像形成条件が補正されていないと判断されると、
前記目標値記憶手段は、前記パッチ画像を記録媒体に形成し、形成したパッチ画像の濃度または色彩値を検出して前記目標値として記憶する請求項１記載の画像形成装置。
【請求項６】
画像形成ジョブの途中で前記画像形成条件を補正するか否かを設定する補正可否設定手段を備え、
前記条件記憶手段は、前回行われた画像形成ジョブにおいて前記画像形成条件を補正しないように前記補正可否設定手段により設定されており、かつ、今回行う画像形成ジョブにおいて前記画像形成条件を補正するように前記補正可否設定手段により設定されている場合には前記目標値を生成することを前記生成条件として記憶しており、
前記判断手段によって、前回行われた画像形成ジョブにおいて前記画像形成条件を補正しないように前記補正可否設定手段により設定されており、かつ、今回行う画像形成ジョブにおいて前記画像形成条件を補正するように前記補正可否設定手段により設定されていると判断されると、
前記目標値記憶手段は、前記パッチ画像を記録媒体に形成し、形成したパッチ画像の濃度または色彩値を検出して前記目標値として記憶する請求項１記載の画像形成装置。
【請求項７】
前記条件記憶手段は、前記目標値記憶手段によって目標値が記憶された時から、画像形成装置自身の使用頻度を示す値がある閾値を超えた場合には前記目標値を生成することを前記生成条件として記憶しており、
前記判断手段によって、前回目標値が記憶された時から前記使用頻度を示す値がある閾値を超えたと判断されると、
前記目標値記憶手段は、前記パッチ画像を記録媒体に形成し、形成したパッチ画像の濃度または色彩値を検出して前記目標値として記憶する請求項１記載の画像形成装置。
【請求項８】
前記閾値は、画像形成装置において画像が形成された前記記録媒体の累積量、画像形成装置において画像を形成する処理を行った累積処理時間、画像形成装置において現像を行う現像装置が駆動した累積駆動時間、又は、画像形成装置において前記記録媒体に形成された画像の累積密度量のうちの少なくともいずれか１について予め定められた値である請求項７記載の画像形成装置。
【請求項９】
前記条件補正手段によって前記画像形成条件が補正されるタイミングを設定する補正タイミング設定手段を備え、
該補正タイミング設定手段は、各々の画像形成ジョブ毎、記録媒体の種類毎、記録媒体を収容している収容トレイ毎、又は画像を形成するために用いるスクリーンの種類毎の少なくともいずれか１について前記タイミングを設定し、
前記条件補正手段は、前記補正タイミング設定手段によって設定されたタイミングで、前記記録媒体に前記パッチ画像を形成し、形成したパッチ画像の濃度または色彩値を検出し、検出した濃度または色彩値と前記記憶手段によって記憶されている目標値とが近づくように前記画像形成条件を補正する請求項１記載の画像形成装置。
【請求項１０】
画像形成ジョブと画像形成ジョブとの間に前記画像形成条件を補正するジョブ間補正手段を備え、
該ジョブ間補正手段によって補正された画像形成条件の補正量と、前記ジョブ中補正手段によって補正された画像形成条件の補正量とを別々の記憶領域に記憶する記憶手段を備える請求項１記載の画像形成装置。
【請求項１１】
画像形成装置が備える像担持体上に所定のパッチ画像を形成し、形成したパッチ画像の濃度を検出し、検出した濃度とその目標値とが近づくように前記画像形成条件を補正する補正手段をさらに備える請求項１記載の画像形成装置。
【請求項１２】
前記ジョブ中補正手段によってパッチ画像が形成された記録媒体と、該ジョブ中補正手段以外の手段によって画像が形成された記録媒体とをそれぞれ異なる排出方法で排出する排出手段を備えた請求項１記載の画像形成装置。
【発明の詳細な説明】
【技術分野】
【０００１】
本発明は、画像形成装置において記録媒体に形成される画像の色味を補正する、いわゆるキャリブレーションの技術解像度に関する。
【背景技術】
【０００２】
カラープリンタなどの画像形成装置が長時間使用され続けると、用紙に形成される画像の濃度や色味が変化してくるため、それを適切な濃度や色味に補正する処理が行われる。この処理は一般にキャリブレーションと称されており、その処理内容は、濃度が一様なパッチ画像を用紙や感光体或いは中間転写体などにいくつか形成し、形成したパッチの濃度を測定してその目標値と比較し、その比較結果に基づいて画像を形成するための各種条件を適宜調整する、というものである。
【０００３】
このようなキャリブレーションは、画像形成ジョブと画像形成ジョブの間の時間帯などを利用して操作者の恣意的なタイミングで行われていたが、最近では、１つの画像形成ジョブにおいて色再現性を一定のレベルに維持するために、そのジョブの途中にキャリブレーションを行うことが提案されている。例えば特許文献１においては、画像形成ジョブ中にパッチ画像を形成し、このパッチ画像の濃度に基づいて、出力画像信号のレベルを調整するためのルックアップテーブルを更新することが提案されている。また、特許文献２においては、画像形成ジョブの途中に解像度キャリブレーションを行う場合、ｎ枚の用紙に画像を形成する度にジョブをいったん中断してキャリブレーションを実行し、そのキャリブレーションが終了した後に、中断されたジョブを再開することが提案されている。
このように、従来においては、操作者の恣意的なタイミングや、定期的ないし定量的なタイミングでキャリブレーションが行われている。しかし、このような方法では、キャリブレーションを行うことで画像の濃度を適切に補正したつもりが、その意図とは逆に、用紙と用紙との間で濃度が急激に変動してしまうことになりかねない。
【０００４】
このような現象が起こる仕組みを、図１０を参照しながら説明する。図１０の縦軸は色再現性のレベルの高低を示す軸であり、横軸は時間軸である。点線Ａは目標とされる理想的な色再現性のレベルを示しており、点線Ａから図中下方に離れるほど、理想の色再現性のレベルからずれていることを意味している。実線Ｂは実際に用紙に形成される画像の色再現性のレベルであり、このレベルは時間が経過すると徐々に低下していく。Ｃ１〜Ｃ５は、それぞれの矢印が指し示すタイミングでキャリブレーションが行われることを表しており、Ｊ１〜Ｊ３は、それぞれ異なる画像形成ジョブが行われている期間を示している。図１０に示すように、まず、最初の画像形成ジョブＪ１においては、ジョブの開始後まもなく最初のキャリブレーションＣ１が行われ、以後、定期的にキャリブレーションＣ２，Ｃ３が行われているから、ジョブＪ１の全期間に渡って色再現性が一定レベルに維持されることになる。
【０００５】
ここで、次に行われる画像形成ジョブＪ２においては、キャリブレーションは一切行われず、そのまま、次の画像形成ジョブＪ３に移行したと仮定する。この場合、画像形成ジョブＪ２が行われている間は色再現性のレベルは低下し続けているので、画像形成ジョブＪ３で最初のキャリブレーションＣ４が行われる直前では、色再現性のレベルがその目標値とは大きくずれてしまっている。従って、キャリブレーションＣ４によって理想的な色再現性が得られたとしても、キャリブレーションＣ４の直前に形成された画像とその直後に形成された画像とでは、濃度や色味が不自然なほどに変わって見えてしまう。
これがジョブ中にキャリブレーションを行った際の弊害である。
【０００６】
ところで、キャリブレーションは、前述したとおり、感光体や中間転写体などにパッチが形成されて行われるほかに、用紙にパッチが形成されて行われる場合がある。ところが、用紙の種類が異なるだけで画像の濃度は微妙に異なってしまうし、転写条件や定着条件といった画像形成条件のラチチュード（許容範囲）も用紙の種類毎に異なるから、精度の高いキャリブレーションを行うためには、用紙毎に目標値を決めておかなければならない。さらに、画像形成ジョブにおいて使用されるスクリーンの種類によっても、ジョブ中における濃度の変動の仕方は異なってしまうから、上記と同様に、スクリーン毎に目標値を決める必要がある。このように用紙にパッチを形成してキャリブレーションを行う場合には、用紙の種類やスクリーンの種類毎に目標値を予め決めて記憶しておかなければならないから、非常にコストと手間がかかってしまう。
これが用紙の種類或いはスクリーンの種類に応じてキャリブレーションを行う際の問題点である。
【０００７】
【特許文献１】特開平１０−２２４６５３号公報
【特許文献２】特許３１５０３０５号公報
【発明の開示】
【発明が解決しようとする課題】
【０００８】
そこで、本発明は、画像形成ジョブの途中でキャリブレーションを行う場合であっても画像の濃度の変動を適切な範囲内に抑えることを第１の目的としている。
また、本発明は、用紙などの記録媒体やスクリーンの種類が異なる場合であっても、より簡便な構成でキャリブレーションを可能にすることを第２の目的としている。解像度
【課題を解決するための手段】
【０００９】
上述した課題を解決するため、本発明は、画像を形成する処理が連続して行われる画像形成ジョブの途中において、該画像を形成するための画像形成条件を補正するジョブ中補正手段を備えており、該ジョブ中補正手段は、前記補正の目標値を生成するか否かを判断するための生成条件を記憶した条件記憶手段と、前記条件記憶手段によって記憶されている生成条件が満たされるか否かを判断する判断手段と、前記判断手段によって前記生成条件が満たされると判断された場合に、所定のパッチ画像を記録媒体に形成し、形成したパッチ画像の濃度または色彩値を検出し、検出した濃度または色彩値を前記画像形成ジョブにおいて用いるべき目標値として記憶する目標値記憶手段と、前記目標値が記憶された時から前記画像形成ジョブが終了する時までの期間においては、あるタイミングで記録媒体に前記パッチ画像を形成し、形成したパッチ画像の濃度または色彩値を検出し、検出した濃度または色彩値と前記記憶手段によって記憶されている目標値とが近づくように前記画像形成条件を補正する条件補正手段とを備える画像形成装置を提供する。
この画像形成装置によれば、生成条件に合致する度に、画像形成ジョブ中の補正に用いられる目標値を定め、定めた目標値に基づいて画像形成条件を補正するので、予め決められた固定的な目標値を用いてジョブ中の補正を行う場合と比較して、補正による濃度変動または色変動を極力抑えることができる。
【００１０】
本発明の好ましい態様においては、前記条件記憶手段は、画像形成ジョブが開始される場合又はその開始後の或る期間が経過した場合には前記目標値を生成することを前記生成条件として記憶しており、前記判断手段によって、画像形成ジョブが開始されるか又はその開始後の或る期間が経過したと判断されると、前記目標値記憶手段は、前記パッチ画像を記録媒体に形成し、形成したパッチ画像の濃度または色彩値を検出して前記目標値として記憶する。
ここで、画像形成ジョブの開始後の或る期間とは、記録媒体に形成されるパッチ画像の濃度変動又は色変動が安定するまでの期間を意味しており、例えば所定枚数の記録紙に画像を形成するまで期間であってもよいし、予め定められた一定期間であってもよい。
このように画像形成ジョブが開始される時期の画像濃度または色彩値を目標値とすれば、補正によるジョブ中の濃度変動又は色変動を抑えることができる。
【００１１】
また、好ましくは、前記条件記憶手段は、前記記録媒体の種類が変更された場合又は画像を形成するために用いるスクリーンの種類が変更された場合には前記目標値を生成することを前記生成条件として記憶しており、前記判断手段によって前記記録媒体の種類が変更されたか又は前記スクリーンの種類が変更されたと判断されると、前記目標値記憶手段は、前記パッチ画像を記録媒体に形成し、形成したパッチ画像の濃度または色彩値を検出して前記目標値として記憶する。この場合、前記記録媒体の種類又は前記スクリーンの種類は、画像形成ジョブの途中に変更されるか、又は、画像形成ジョブと画像形成ジョブとの間に変更される。
このように記録媒体やスクリーンの種類が異なるような場合であっても、その都度目標値を定めるようにしているから、記録媒体の種類やスクリーンの種類毎に目標値を予め決めて記憶しておく必要が無く、より簡易な構成でジョブ中に画像形成条件を補正することが可能となる。
【００１２】
また、好ましくは、前記条件記憶手段は、前回行われた画像形成ジョブの途中に前記画像形成条件が補正されていない場合には今回行う画像形成ジョブにおいて前記目標値を生成することを前記生成条件として記憶しており、前記判断手段によって、前回行われた画像形成ジョブの途中に前記画像形成条件が補正されていないと判断されると、前記目標値記憶手段は、前記パッチ画像を記録媒体に形成し、形成したパッチ画像の濃度または色彩値を検出して前記目標値として記憶する。
前回行われた画像形成ジョブの途中に画像形成条件が補正されていないと、今回行う画像形成ジョブの開始時点で既に、画像の濃度または色彩値が予め決められた理想的な目標とは大きくずれている可能性がある。従って、このような場合には目標値を新たに定め、これに基づいて画像形成条件を補正するようにすれば、予め決められた目標を用いてジョブ中の補正を行う場合と比較して、補正による濃度変動又は色変動を抑えることができる。
【００１３】
また、好ましくは、画像形成ジョブの途中で前記画像形成条件を補正するか否かを設定する補正可否設定手段を備え、前記条件記憶手段は、前回行われた画像形成ジョブにおいて前記画像形成条件を補正しないように前記補正可否設定手段により設定されており、かつ、今回行う画像形成ジョブにおいて前記画像形成条件を補正するように前記補正可否設定手段により設定されている場合には、前記目標値を生成することを前記生成条件として記憶しており、前記判断手段によって、前回行われた画像形成ジョブにおいて前記画像形成条件を補正しないように前記補正可否設定手段により設定されており、かつ、今回行う画像形成ジョブにおいて前記画像形成条件を補正するように前記補正可否設定手段により設定されていると判断されると、前記目標値記憶手段は、前記パッチ画像を記録媒体に形成し、形成したパッチ画像の濃度または色彩値を検出して前記目標値として記憶する。
画像形成装置においてジョブ中補正を行うか否かを自由に設定できれば操作者にとって便利である。このような場合、前回行われた画像形成ジョブの途中に画像形成条件が補正されていないと、今回行う画像形成ジョブの開始時点で既に、画像の濃度または色彩値が予め決められた理想的な目標とは大きくずれている可能性がある。従って、このような場合には目標値を新たに定め、これに基づいて画像形成条件を補正するようにすれば、予め決められた目標を用いてジョブ中の補正を行う場合と比較して、補正による濃度変動又は色変動を抑えることができる。
【００１４】
また、好ましくは、前記条件記憶手段は、前記目標値記憶手段によって前回目標値が記憶された時から、画像形成装置自身の使用頻度を示す値がある閾値を超えた場合には前記目標値を生成することを前記生成条件として記憶しており、前記判断手段によって、前回目標値が記憶された時から前記使用頻度を示す値がある閾値を超えたと判断されると、前記目標値記憶手段は、前記パッチ画像を記録媒体に形成し、形成したパッチ画像の濃度または色彩値を検出して前記目標値として記憶する。この場合、閾値は、画像形成装置において画像が形成された前記記録媒体の累積量、画像形成装置において画像を形成する処理を行った累積処理時間、画像形成装置において前記画像を形成するための現像を行う現像装置が駆動した累積駆動時間、又は、画像形成装置において前記記録媒体に形成された画像の累積密度量のうちの少なくともいずれか１について予め定められた値であることが望ましい。
【００１５】
また、好ましくは、前記条件補正手段によって前記画像形成条件が補正されるタイミングを設定する補正タイミング設定手段を備え、該補正タイミング設定手段は、各々の画像形成ジョブ毎、記録媒体の種類毎、記録媒体を収容している収容トレイ毎、又は画像を形成するために用いるスクリーン毎の少なくともいずれか１について前記タイミングを設定し、前記条件補正手段は、前記補正タイミング設定手段によって設定されたタイミングで、前記記録媒体に前記パッチ画像を形成し、形成したパッチ画像の濃度または色彩値を検出し、検出した濃度または色彩値と前記記憶手段によって記憶されている目標値とが近づくように前記画像形成条件を補正する。
このようにすれば、画像形成装置においてジョブ中補正を行うタイミングを自由に設定できるので便利である。
【００１６】
また、画像形成ジョブと画像形成ジョブとの間に前記画像形成条件を補正するジョブ間補正手段を備え、該ジョブ間補正手段によって補正された画像形成条件の補正量と、前記ジョブ中補正手段によって補正された画像形成条件の補正量とを別々の記憶領域に記憶する記憶手段を備えるようにしてもよい。
このようにすれば、ジョブ間補正手段によって補正された画像形成条件の補正量と、ジョブ中補正手段によって補正された画像形成条件の補正量とを別々に取り扱うことが容易になるため、例えば操作者の意志によってジョブ中補正手段の補正量のみを消去するといったことも容易に実施可能となる。
【００１７】
また、像担持体に所定のパッチ画像を形成し、形成したパッチ画像の濃度を検出し、検出した濃度とその目標値とが近づくように前記画像形成条件を補正する補正手段を更に備えるようにしてもよい。この補正手段とは別に、前記ジョブ中補正手段は、用紙やＯＨＰフィルムなどの記録媒体にパッチ画像を形成し、形成したパッチ画像の濃度または色彩値を検出し、検出した濃度または色彩値とその目標値とが近づくように前記画像形成条件を補正する。
このようにすれば、上記補正手段が記録媒体やスクリーンの種類に依存しない補正を行う一方、ジョブ中補正手段が記録媒体やスクリーンの種類に依存する補正を行うというように、それぞれの手段が役割を分担することが可能となる。
【００１８】
また、前記ジョブ中補正手段がパッチ画像を形成した記録媒体と、該ジョブ中補正手段以外の手段が画像を形成した記録媒体とをそれぞれ異なる排出方法で排出するようにしてもよい。このようにすれば、用途が異なるこれらの記録媒体が排出時に混在することがない。
【発明を実施するための最良の形態】
【００１９】
本発明において、「画像形成ジョブ」とは、連続して行われる画像形成処理の集合を意味している。例えば画像形成装置が１又は複数の原稿画像を連続してスキャンし、スキャンした画像を１又は複数の用紙に連続して複写する場合、これら一連の処理が１つの画像形成ジョブである。また、例えば画像形成装置がパーソナルコンピュータなどの外部装置から連続して送信されてくる画像データを受信し、受信した画像データに基づいて１又は複数の用紙に連続して画像を形成する場合、これら一連の処理が１つの画像形成ジョブである。なお、本明細書では、画像形成ジョブを単に「ジョブ」と呼ぶ場合がある。
【００２０】
従来においては、画像形成ジョブが開始された時の濃度が既に大きく目標値からずれているにもかかわらず、その目標値に近づくようにキャリブレーションによって画像形成条件を補正しているがために、キャリブレーション前後の画像の濃度が大きく変動してしまう、という結果を招いている。これは、要するに、目標値が予め決まった値に固定されているから起こり得る問題である。
そこで、本発明においては、予め定められている理想的な目標値を目指したキャリブレーションと、１つの画像形成ジョブにおける濃度の変動をできり限り抑えることを目指したキャリブレーションとを別々に行う。前者のキャリブレーションは、画像形成ジョブと画像形成ジョブとの間に行われる周知のキャリブレーションであり、以降、「ジョブ間キャリブレーション」という。一方、後者のキャリブレーションは、画像形成ジョブの途中に行うので「ジョブ中キャリブレーション」という。
【００２１】
ジョブ中キャリブレーションは概ね次のようにして行われる。
画像形成装置は、画像形成ジョブにおいて利用される、そのジョブに固有の目標値を生成するか否かを判断するための生成条件を記憶している。そして、ある画像形成ジョブについて上記生成条件が満たされる場合には、画像形成装置は、記録媒体にパッチ画像を形成し、形成したパッチ画像の濃度または色彩値を検出し、検出した濃度または色彩値を上記画像形成ジョブにおいて利用される目標値として記憶する。画像形成装置は、この目標値が記憶された時から上記画像形成ジョブが終了する時までの期間においては、決められたタイミングで記録媒体にパッチ画像を形成し、形成したパッチ画像の濃度または色彩値を検出する。そして、画像形成装置は、検出した濃度または色彩値と既に記憶している目標値とが近づくように画像形成条件を補正する。
以下では、まず、最も基本的な生成条件である「画像形成ジョブの開始時にジョブ中キャリブレーションのための目標値を生成する」という内容を、実施例１として説明する。
【００２２】
（実施例１）
図１は、本発明の実施例１に係る画像形成装置１００の構成を示した図である。画像形成ユニット１Ｙ，１Ｍ，１Ｃ，１Ｋはそれぞれ、イエロー（Ｙ）色、マゼンダ（Ｍ）色、シアン（Ｃ）色およびブラック（Ｋ）色の各色のトナー像を形成する。中間転写ベルト２は、複数の各種ロール３に掛け渡されており、これらロール３によって矢印Ａ方向に周回移動させられる。このように周回移動させられる中間転写ベルト２には、画像形成ユニット１Ｙ，１Ｍ，１Ｃ，１Ｋによって形成されたトナー像が重ね合わされるようにして１次転写される。
【００２３】
収容トレイ４ａ，４ｂ，４ｃ，４ｄには、それぞれ異なるサイズの用紙が複数枚収容されている。指定されたサイズの用紙は、収容トレイ４ａ、４ｂ、４ｃ，４ｄのいずれかから送り出され、複数の搬送ロール５によって搬送路Pathを矢印Ｂ方向に搬送させられる。転写装置６は、上述したように中間転写ベルト２に１次転写されたトナー像を、搬送路Path上を搬送されてくる用紙にベルト２次転写する。定着器７は、用紙に２次転写されたトナー像を加熱および加圧することによって用紙面に定着させる。トナー像が定着させられた用紙は、矢印Ｃ方向に沿って排出トレイ8ａ、８ｂ、８ｃのいずれかに排出させられる。用紙が排出トレイ8ａ、８ｂ、８ｃのいずれかに排出される際に、センサ９はその用紙に形成されている画像の濃度または色彩値を読み取る。
【００２４】
画像形成装置１００の筐体上面には、表示部１０１と操作部１０２とが設けられている。表示部１０１は、液晶パネルを備えており、このパネルを駆動することにより各種の情報を表示する。また、この表示部１０１の液晶パネルはタッチパネルとしても機能し、操作者は操作部１０２の他にこの液晶パネルを用いて各種の操作を行うことができる。
【００２５】
次に、画像形成ユニット１Ｙ，１Ｍ，１Ｃ，１Ｋの構成について説明する。
図２は、画像形成ユニット１Ｋの構成を示す図である。図２に示すように、画像形成ユニット１Ｋは、感光体１１Ｋと、感光体１１Ｋを決められた帯電電位に帯電させる帯電装置１２Ｋと、ＹＭＣＫ各色の画像データのうちＫ（黒色）の画像データに応じた光を感光体１１Ｋに光を照射して静電潜像を形成する露光装置１３Ｋと、静電潜像に黒色トナーを供給し感光体１１Ｋの表面に黒色トナー像を形成させる現像装置１４Ｋと、中間転写ベルト２にトナー像を１次転写するための１次転写ロール１５Ｋと、一次転写後の感光体１１Ｋの表面に残留するトナーを除去するクリーニング装置１６Ｋとを備えている。
【００２６】
画像形成ユニット１Ｙ，１Ｍ，１Ｃの構成は、ＹＭＣＫ各色のうちどの色の画像データを取り扱うかという点を除いて、上記画像形成ユニット１Ｋと同様であるから説明を省略する。なお、以下の説明においては、画像形成ユニット１Ｙ，１Ｍ，１Ｃ，１Ｋの各構成については、それぞれ「Ｙ」、「Ｍ」、「Ｃ」、「Ｋ」という符号を付して区別する。ただし、これらを特に区別する必要のない時は、「Ｋ」、「Ｙ」、「Ｍ」、「Ｃ」という符号は付さない。例えば、画像形成ユニット１Ｙの感光体を指し示すときは「感光体１１Ｙ」と呼び、感光体１１Ｙ，１１Ｍ，１１Ｃ，１１Ｋを区別しないでよい場合には、単に「感光体１１」と総称する。
【００２７】
次に、図３のブロック図を参照しながら、画像形成装置１００の制御系の構成について説明する。制御部１１０は、例えばＣＰＵ（Central Processing Unit）であり、記憶部１２０に記憶されている制御プログラムに従って画像形成装置１００の各部ないし各装置の動作を制御する。例えば、制御部１１０はセンサ９から供給される出力信号を受け取って処理したり、操作部１０２から供給される出力信号に基づいて操作者の操作に応じた処理を行う。また、制御部１１０は、表示部１０１や転写装置１０３や定着装置７や帯電装置１２や現像装置１４や露光装置１３に対して指示を送って、これら装置の動作を制御する。なお、転写装置１０３は、１次転写を行う１次転写ロール１５と、２次転写を行う転写装置６とを含んでいる。
【００２８】
記憶部１２０には、制御プログラムのほか、画像を形成するための条件である画像形成条件が記憶されている。このような画像形成条件には、周知の転写条件、定着条件、帯電条件、露光条件、トナーの濃度に関する条件などのほかに、ジョブ間キャリブレーションにおいて利用されるジョブ間目標値及びジョブ間ルックアップテーブル（以降、ルックアップテーブルをＬＵＴと略記する）と、ジョブ中キャリブレーションにおいて利用されるジョブ中目標値及びジョブ中ＬＵＴとがある。ジョブ間目標値は、予め定められた最も理想的な濃度または色彩値の目標値である。ジョブ間ＬＵＴには、このジョブ間目標値に近づけるように画像の濃度または色彩値を補正するための情報が記述されている。これに対し、ジョブ中目標値は、画像形成ジョブの開始時に生成された濃度または色彩値の目標値であり、ジョブ中ＬＵＴには、このジョブ中目標値に画像の濃度または色彩値を近づけるように補正するための情報が記述されている。これらの画像形成条件は、制御部１１０の指示によって生成されて記憶部１２０に記憶され、また、その内容も制御部１１０の指示に応じて適宜補正されたりする。
【００２９】
このように、ジョブ中ＬＵＴとジョブ間ＬＵＴとは、別々のテーブルとして構成されているので、画像形成装置１００の制御部１１０は、ジョブ中ＬＵＴの内容を保持したままジョブ間ＬＵＴの内容のみを変更したり、逆に、ジョブ間ＬＵＴの内容を保持したままジョブ中ＬＵＴの内容のみを変更したりすることができる。ジョブ間キャリブレーションは操作者によって任意に実施されるものであり、そのキャリブレーションにおける補正内容が画像の濃度にどのように反映されるかということを確認してからジョブ間ＬＵＴが更新されるようになっている。これに対し、ジョブ中キャリブレーションは画像形成常置１００によって自動的に実行されてしまうから、ユーザーの意思に反するような補正がされてしまう虞がある。そのため、画像形成装置１００がジョブ中ＬＵＴとジョブ間ＬＵＴとを別々の記憶領域に記憶しておくようにすれば、操作者の意志に応じてジョブ中ＬＵＴの内容のみを消去する、といったことも容易であるから都合がよい。
【００３０】
記憶部１２０に記憶されている制御プログラムには、ジョブ中目標値を生成するか否かを判断するための生成条件が記述されている。この実施例１における生成条件とは、前述したとおり、画像形成ジョブの開始時にジョブ中目標値を生成する、という内容である。ここで、「画像形成ジョブの開始時」とは、画像形成ジョブがまさに開始されようとしたときであるか、又は、その開始後の或る期間が経過したときである。一般にジョブが開始された後の或る期間は、画像の濃度が安定しないことがあるので、そのような場合にパッチ画像を形成して目標値を生成しても、その目標値自体が適切なものとはならない虞がある。そこで、例えば、ある一定時間経過後とか、所定枚数の用紙に画像を形成するまでの期間が経過するまで待ち、画像の濃度が安定してから目標値を生成するようにしている。従って、上記の「ジョブが開始された後の或る期間」には、「予め決められた一定期間」と、「所定枚数の用紙に画像を形成するまでの期間」という意味が含まれる。
【００３１】
ここで、図４に示した模式図は、前述した図１０と同様に、縦軸が色再現性のレベルの高低を示し、横軸が時間を示している。また、点線Ａは理想的な目標とされる色再現性のレベルを示し、実線Ｂ’は、実際に用紙に形成される画像における色再現性のレベルを示している。Ｃ１〜Ｃ８は、それぞれの矢印が指し示すタイミングでジョブ中キャリブレーションが行われることを表している。これらジョブ中キャリブレーションＣ１〜Ｃ８のうち、Ｃ１，Ｃ４，Ｃ７は、ジョブ中目標値を生成する処理のみを行うジョブ中キャリブレーションであり、それ以外は、生成されたジョブ中目標値に画像の濃度を近づけるように画像形成条件を補正する処理を行うジョブ中キャリブレーションである。また、Ｃj１は、その矢印が指し示すタイミングでジョブ間キャリブレーションが行われることを表している。
【００３２】
図４に示すように、まず、最初の画像形成ジョブＪ１の開始時にジョブ中キャリブレーションＣ１が行われるが、このときは、画像形成ジョブＪ１において利用されるジョブ中目標値が生成されるだけである。具体的には、制御部１１０が、周知の画像形成プロセスを実行して所定濃度のパッチ画像を用紙に形成し、形成したパッチ画像の濃度または色彩値をセンサ９に読み取らせ、読み取らせた濃度または色彩値をジョブ中目標値として記憶部１２０に記憶する。以降、画像形成ジョブＪ１においてはジョブ中キャリブレーションＣ２，Ｃ３が行われ、その都度、制御部１１０は、画像の濃度又は色味がジョブ中目標値に近づくように記憶部１２０に記憶している画像形成条件を補正する。
【００３３】
画像形成ジョブＪ１が終了すると、次は画像形成ジョブＪ２が開始される。この開始時においてもジョブ中キャリブレーションＣ４が行われる。このジョブ中キャリブレーションＣ４においては、画像形成ジョブＪ２において利用されるジョブ中目標値が生成され、生成されたジョブ中目標値によって、記憶部１２０に記憶されているジョブ中目標値が上書き更新される。ここで、画像形成ジョブＪ２の開始時点においては、画像形成ジョブＪ１において最後のジョブ中キャリブレーションＣ３が行われたタイミングと比べると、時間経過により色再現性のレベルが幾分低下している。従って、ジョブ中キャリブレーションＣ４によって生成されたジョブ中目標値は、画像形成ジョブＪ１における目標値よりも色再現性のレベルが少し低下している。ただし、この画像形成ジョブＪ２においては、点線Ａが示す予め定められたジョブ間目標値ではなく、新たに生成されたジョブ中目標値（即ち点線Ｄが示す色再現性のレベル）を目指してキャリブレーションが行われるので、キャリブレーションＣ５、Ｃ６の前後において画像の濃度又は色味が大きく変動することはない。
【００３４】
ただし、点線Ａと点線Ｄとを比較すると容易に予測できるように、上記のようなジョブ中キャリブレーションが繰り返し行われているだけでは、ジョブ中目標値は最も理想的なジョブ間目標値（点線Ａ）の色再現性レベルからは徐々にずれてくる。そこで、画像形成装置１００は、画像形成ジョブと画像形成ジョブとの間に周知のジョブ間キャリブレーションを適宜行う。このようにすれば、図４においてジョブ間キャリブレーションＣj１を行った後の実線Ｂ’が示すように、理想的な色再現性に近いレベルを維持することができる。
【００３５】
ところで、ジョブ中キャリブレーションは画像形成ジョブの途中に行われるから、パッチ画像を形成するのに要する時間などを考慮すると、画像形成ジョブ全体に要する時間が長くなってしまう虞がある。また、画像が形成される用紙の用途によっては、ジョブの途中で画像の濃度が大きく変動することが許される場合もある。そこで、本実施例１の画像形成装置１００においては、それぞれの画像形成ジョブ毎、用紙の種類毎、収容トレイ４毎、或いはスクリーンの種類毎に、ジョブ中キャリブレーションを行うか否かを操作者の意志により選択して設定することができるようになっている。さらに、１つの画像形成ジョブにおいてジョブ中キャリブレーションを実行するタイミングを上記の単位毎に操作者の意志によって設定することもできるようになっている。
【００３６】
具体的には、操作者が操作部１０２を用いて所定の操作を行うと、制御部１１０はこの操作を受け付けて、例えば図５（ａ）に示すような設定画面を表示部１０１に表示する。この図５（ａ）は、収容トレイ４ａ，４ｂ，４ｃ，４ｄ毎に、ジョブ中キャリブレーションの実行可否及び実行タイミング（ないし実行インターバル）を設定するための画面である。図５（ａ）では、例えば収容トレイ４ａ（図中「Tray１」）に収容されている用紙に画像を形成する場合には、１０００枚の用紙に画像を形成する度にジョブ中キャリブレーションを行う、という設定がなされていることを示している。
また、この図５（ｂ）は、ジョブ中キャリブレーションの実行可否及び実行タイミングをスクリーン毎に設定するための画面である。図５（ｂ）では、例えば１５０線のスクリーンを用いて画像を形成する場合には、１２００枚の用紙に画像を形成する度にジョブ中キャリブレーションを行う、という設定がなされていることを示している。
【００３７】
次に、この図５（ｃ）は、ジョブ中キャリブレーションの実行可否及び実行タイミングを画像形成ジョブ毎に設定するための画面である。図５（ｃ）の紙面に向かって左側の領域の設定内容（例えば「部数」、「出力先」など）は、従来において画像形成ジョブ毎に設定可能な内容を示している。一方、右側の領域に示された内容は、上述したジョブ中キャリブレーションに関する設定内容を示している。図５（ｃ）に示す例では、この画像形成ジョブ中には、２００枚の用紙に画像を形成する度にジョブ中キャリブレーションが行う、という設定がなされている。また、「パッチ排出先」とは、ジョブ中キャリブレーションによってパッチ画像を形成した用紙を排出する先の排出トレイ８ａ，８ｂ，８ｃの別を示している。図５（ｃ）において、「出力先」が「排出トレイ１」であるのに対し、「パッチ排出先」が「排出トレイ２」となっているので、画像形成ジョブによって通常の画像が形成された用紙と、ジョブ中キャリブレーションによってパッチ画像が形成された用紙とは、別々の排出トレイ８に排出されることになる。ジョブ中キャリブレーションは、画像形成ジョブの途中に自動的に行われるから、上記の２種類の用紙が同じ排出トレイ８に排出されてしまうと、これらが混在してしまい、操作者にとっては都合が悪い。そこで、これらの用紙をそれぞれ別々の排出トレイ８に排出するようにして、上記の問題を解消するようにしている。
以上説明したような設定内容は記憶部１２０によって記憶され、制御部１１０は記憶されている設定内容に従って、画像形成装置１００の各部ないし各装置を制御してジョブ中キャリブレーションを実行する。
【００３８】
次に、図６を参照しながら、制御部１１０が制御プログラムに従って行う処理について説明する。制御部１１０は、画像形成ジョブが開始される度に図６に示す処理を開始する。なお、以下の説明では、開始される画像形成ジョブについては、ジョブ中キャリブレーションを行うように設定されていると仮定する。
図６において、制御部１１０は、これから開始される画像形成ジョブがジョブ中目標値を生成するための生成条件を満たすか否かを判断する。「満たさない」と判断されると（ステップＳ１０１；Ｎｏ）、通常通りの画像形成ジョブが実行される（ステップＳ１０８）。この場合、前回作成した目標値を使用して画像形成処理やジョブ中キャリブレーションが行われることになる。そして、画像形成ジョブの終了と共に図６に示す処理も終了する。
【００３９】
ここでは、この画像形成ジョブに関してはジョブ中キャリブレーションを行うように設定されているから、制御部１１０は生成条件を「満たす」と判断し（ステップＳ１０１；Ｙｅｓ）、画像形成ユニット１などを制御して所定濃度のパッチ画像を用紙に形成する（ステップＳ１０２）。次いで、制御部１１０は、センサ９に用紙上のパッチ画像の濃度または色彩値を読み取らせ、読み取らせた濃度または色彩値をこの画像形成ジョブにおいて利用されるジョブ中目標値として記憶部１２０に記憶する（ステップＳ１０３）。
【００４０】
そして制御部１１０は画像形成ジョブを開始する。ジョブが開始されると、制御部１１０は、ジョブ中目標値が記憶部１２０に記憶された時から計って、記憶部１２０に記憶されているジョブ中キャリブレーションの実行タイミングが到来したか否かを判断する（ステップＳ１０４）。実行タイミングが到来すると（ステップＳ１０４；Ｙｅｓ）、制御部１１０は、所定濃度のパッチ画像を用紙に形成する（ステップＳ１０５）。次いで、制御部１１０は、センサ９にパッチ画像の濃度または色彩値を読み取らせ、読み取らせた濃度または色彩値と記憶部１２０に記憶されているジョブ中目標値とを比較し、その比較結果に基づいて画像の濃度または色味がジョブ中目標値に近づくように画像形成条件を補正する（ステップＳ１０６）。この画像形成条件の補正は、例えばジョブ中ＬＵＴを更新する処理や、転写条件や定着条件を更新する処理などである。
【００４１】
これらのステップＳ１０４〜ステップＳ１０６の処理は、画像形成ジョブが終了するまで実行タイミングが到来するたびに繰り返し行われる、これによって、この画像形成ジョブにおける画像の濃度又は色味は、それほど大きく変動しない範囲内で適切に補正される。
【００４２】
なお、上記の説明は、画像形成ジョブがまさしく開始されるタイミングでジョブ中目標値を生成していたが、画像形成ジョブの開始後の或る期間経過後に目標値を生成する場合には、ステップＳ１０１以前に既に画像形成処理が開始されており、ステップＳ１０１では上記或る期間が経過したことが目標値の生成条件となる。
以上説明した実施例１によれば、画像形成装置１００は、画像形成ジョブの開始時の画像の濃度をジョブ中目標値とするので、予め固定された目標値を目指してジョブ中キャリブレーションを行う場合と比較して、ジョブ中における画像濃度の変動を適切な範囲内に抑えることができる。
また、濃度変動を抑えられるということは、その補正量が大きくないということだから、補正に必要なパッチ画像の数が少なくて済む。よって、画像形成装置１００は、画像形成ジョブにおける画像の生産性を落とすことなく、ジョブ中キャリブレーションを行うことができる。また、画像形成装置１００は、ジョブ中目標値を記憶するだけで済むため、膨大な量の目標値を予め記憶しておく必要が無い。
【００４３】
（実施例２）
次に、実施例２について説明する。
この実施例２においては、上記の実施例１と比較して、ジョブ中目標値を生成するか否かを判断するための生成条件の内容が異なるだけであり、それ以外の構成・動作は同じである。実施例２では、基本的に、用紙の種類又はスクリーンの種類が異なったときにジョブ中目標値を生成するようになっている。さらにこの基本条件に加えて、次の（生成条件１）〜（生成条件３）のような内容の生成条件に従ってジョブ中目標値が生成される。
【００４４】
（生成条件１）
「画像形成ジョブの開始時には必ずジョブ中目標値を生成する。」
この生成条件１は、ジョブ中キャリブレーションはその画像形成ジョブの開始時の画像の濃度または色彩値を目標とする、ということを原則とした生成条件である。なお、１つの画像形成ジョブの途中で用紙の種類が異なる場合には、その用紙を用いる画像形成処理を１つの画像形成ジョブとみなすようにしている。即ち、１つの画像形成ジョブにおいて用紙の種類が異なる場合、それを新たな画像形成ジョブの開始と捉えることができるから、画像形成装置１００は、ジョブの開始時には必ずジョブ中目標値を生成することとなる。
【００４５】
（生成条件２）
「前回の画像形成ジョブにおいて画像形成条件（例えばジョブ中ＬＵＴ）が更新（或いは生成）されていない場合にはジョブ中目標値を生成する。」
この生成条件２は、例えば前回行われた画像形成ジョブにおいてはジョブ中キャリブレーションを行わないように設定されており、かつ、今回行う画像形成ジョブにおいてはジョブ中キャリブレーションを行うように設定されている場合には、ジョブ中目標値を生成する、といった内容である。また、例えば前回行われた画像形成ジョブにおいて用いられていた用紙の種類と、今回行う画像形成ジョブにおいて用いられる用紙の種類とが異なる場合には、今回用いる用紙についての画像形成条件は生成されていないのだから、上記生成条件２に従ってジョブ中目標値が生成されることになる。
【００４６】
（生成条件３）
「前回行われた画像形成ジョブにおいてはジョブ中キャリブレーションを行わないように設定されており、かつ、今回行う画像形成ジョブにおいてはジョブ中キャリブレーションを行うように設定されており、さらに、前回の画像形成ジョブにおいて最後にジョブ中キャリブレーションが行われた時点から今回行う画像形成ジョブの開始時期までにおいて、画像形成装置１００の使用頻度がある閾値以上である場合には、ジョブ中目標値を生成する。」
使用頻度とは、具体的には、画像形成装置１００において画像が形成された用紙の累積量、画像形成装置１００において画像を形成する処理を行った累積処理時間、画像形成装置１００において現像装置１４が駆動した累積駆動時間、又は、画像形成装置１００において用紙に形成された画像の累積密度量である。なお、単なる経過時間を使用頻度とみなしてもよい。
【００４７】
まず、生成条件１について説明する。
図７（ａ）は、画像形成ジョブＪ１〜Ｊ３が続けて行われる場合に、ジョブ中目標値が生成されるタイミングを矢印Ｃ１、Ｃ２、Ｃ３で示した図である。図中同じ模様（斜線）によって表現された用紙Ｐは、同じ種類Ａの用紙であることを意味している。このように用紙の種類が同じであっても、画像形成ジョブの開始時には必ずジョブ中目標値が生成されている。従って、画像形成装置１００は、画像形成ジョブＪ１〜Ｊ３のそれぞれにおいて、ジョブ開始時の画像の濃度または色彩値（つまりＣ１〜Ｃ３のタイミングで生成された目標値）を目標としてジョブ中キャリブレーションを行う。
【００４８】
次に、図７（ｂ）は、画像形成ジョブＪ１，Ｊ２が続けて行われる場合に、ジョブ中目標値が生成されるタイミングを矢印Ｃ１〜Ｃ３及びＣ１’〜Ｃ３’で示した図である。図中、複数の用紙Ｐのうち同じ模様（斜線、ドット、横線又は縦線）によって表現されたものは、同じ種類の用紙であることを意味している。画像形成ジョブＪ１は、Ａ、Ｂ、Ｃの３種類の用紙を順番に２枚ずつ用いて画像を形成するというジョブである。ここで、１つの画像形成ジョブの途中で用紙の種類が異なった場合には、その用紙を用いる画像形成処理を１つの画像形成ジョブとみなすようにしているから、矢印Ｃ１，Ｃ２，Ｃ３によって示したように、画像形成装置１００はそれぞれの用紙の種類が異なる度にその用紙の種類に固有のジョブ中目標値を生成している。これ以降、画像形成装置１００は、用紙の種類毎に、記憶部１２０に記憶されているジョブ中キャリブレーションの実行タイミングが到来するたびに、ジョブ中キャリブレーションを実行し、画像形成条件を補正する。
【００４９】
更に次の画像形成ジョブＪ２においても、画像形成装置１００は、同様に、それぞれの用紙の種類が異なる度にその用紙の種類に固有のジョブ中目標値を生成している。なお、画像形成ジョブの開始時にジョブ中目標値を必ず生成するようにしていると、実施例１で述べたように、ジョブ中目標値が最も理想的なジョブ間目標値のレベルからは徐々にずれてくるから、この場合には、画像形成装置１００は画像形成ジョブと画像形成ジョブとの間に周知のジョブ間キャリブレーションを適宜行うようにすればよい。
【００５０】
次に、生成条件２について説明する。
図７（a）を参照するとわかるように、上記の生成条件１では、前回の画像形成ジョブと同じ種類の用紙を用いる場合であってもジョブの開始時には必ずジョブ中目標値を生成するから処理が煩雑になる。生成条件２ではこれを改善するのが目的である。
また、従来の問題点として述べたように、前回行われている画像形成ジョブにおいてジョブ中キャリブレーションは一切行われず（即ち画像形成条件が一切補正されず）、そのまま、次の画像形成ジョブに移行した場合に、ジョブ中キャリブレーションの前後で濃度の急激な変動が発生する虞がある。従って、前回行われている画像形成ジョブにおいてジョブ中キャリブレーションが行われていない場合（即ち画像形成条件が補正されていない場合）には、ジョブ中目標値を生成すれば足りると考えればよい。これが生成条件２の基本的な考え方である。
【００５１】
図８（ａ）は、矢印Ｃ１’、Ｃ１”によって示されるように、前回行われた画像形成ジョブにおいて用いられていた用紙の種類と、今回行う画像形成ジョブにおいて用いられる用紙の種類とが異なる場合にジョブ中目標値が生成される例を示している。図８（ｂ）は、前回行われた画像形成ジョブにおいてはジョブ中キャリブレーションを行わないように設定されており（画像形成ジョブＪ２）、今回行う画像形成ジョブにおいてはジョブ中キャリブレーションを行うように設定されている場合（画像形成ジョブＪ３）には、ジョブ中目標値を生成することを表している（矢印Ｃ１’）。
【００５２】
図８（ｃ）は、各々の画像形成ジョブ間において用紙の種類もジョブ中キャリブレーションの可否も変化していないので、矢印Ｃ１においてのみジョブ中目標値が生成されることを表している。画像形成ジョブＪ１と画像形成ジョブＪ２、及び、画像形成ジョブＪ２と画像形成ジョブＪ３のように、ジョブ中キャリブレーションの可否が変化していない場合には、ジョブ中目標値は生成されず、前回のジョブ中目標値とジョブ中ＬＵＴがそのまま使用される。また、図８（ｄ）は、画像形成ジョブＪ１においては用紙の種類が変わる度にジョブ中目標値が生成されるが、画像形成ジョブＪ２においては、前回の画像形成ジョブにおいてジョブ中目標値が生成された種類の用紙（種類Ａ、Ｂ、Ｃの用紙）については再度ジョブ中目標値が生成されることはなく、画像形成ジョブＪ２においてはじめて用いられる種類の用紙（種類Ｄの用紙）についてのみジョブ中目標値が生成されることが示されている（矢印Ｃ１’）。
【００５３】
次に、生成条件３について説明する。
生成条件３はジョブ中目標値の生成回数をできり限り抑えることを意図している。
即ち、前回の画像形成ジョブと今回の画像形成ジョブとでは、ジョブ中キャリブレーシンが無しから有りに変わっている場合や、用紙の種類が異なっている場合であっても、前回の画像形成ジョブにおいて最後にジョブ中キャリブレーションが行われた時点から今回行う画像形成ジョブの開始時期までにおいて、画像形成装置１００の使用頻度がある閾値以上でないかぎり、ジョブ中目標値を生成しない。
【００５４】
この内容を表したのが、図９（ａ）〜図９（ｃ）である。図９（ａ）では、前回の画像形成ジョブと今回の画像形成ジョブとでは用紙の種類が異なっているが、上記閾値に相当するインターバルが経過していないから、が層形成装置１００は種類Ａの用紙に関しては前回のジョブ中目標値とジョブ中ＬＵＴをそのまま利用することを表している。
また、図９（ｂ）では、前回の画像形成ジョブと今回の画像形成ジョブとではジョブ中キャリブレーションが無しから有りに変わっているが、上記閾値に相当するインターバルが経過していないから、画像形成装置１００は種類Ａの用紙に関しては前回のジョブ中目標値とジョブ中ＬＵＴをそのまま利用することを表している。また、図９（ｃ）に示すように、各々の画像形成ジョブ間において用紙の種類もジョブ中キャリブレーションの可否も変化していない場合には、もちろん矢印Ｃ１においてのみジョブ中目標値が生成される。
なお、以上説明した生成条件１〜生成条件３においては、用紙の種類に限らず、スクリーンの種類に着目してジョブ中目標値を生成するようにしてもよい。
【００５５】
（その他の生成条件）
上記の他にも例えば、画像形成装置１００は前回のジョブと今回のジョブの間で画像形成条件を変更する補正(具体的にはジョブ間差や日間差、部品の経時変化を補正するためのキャリブレーション)が実施された場合にジョブ中目標値を生成するようにしてもよい
また、画像形成装置１００は用紙及びスクリーンの組み合わせが変更する際にジョブ中目標値を生成するようにしてもよい。例えば用紙Ａでスクリーン線数が200線の画像から用紙Ｂに変更された場合、あるいはスクリーン線数が300線になった場合に、画像形成装置１００は用紙とスクリーンの組み合わせでジョブ中目標値を生成する。また、1ページに複数種のスクリーンが使用されるケース(例えば200線と300線のスクリーン線数を使用するようなケース)では、画像形成装置１００はジョブ中目標値を200線と300線のスクリーン線数でそれぞれ作成し、次に使用されるスクリーンが切り換わった場合(例えば用紙の種類は変わらないがスクリーン線数が200線と150線になった場合)には、新たに使用されるスクリーンについてのジョブ中目標値を作成する。このとき、画像形成装置１００はスクリーン線数が200線のジョブ中目標値はそのまま使用し、スクリーン線数が150線のジョブ中目標値のみを新たに作成する。なお、ジョブ中目標値を生成するために用紙に形成するパッチ画像が少ないケースでは、画像形成装置１００は1ページ内に200線と300線のパッチ画像を同時に作成したり、200線用と300線用のパッチ画像を複数ページを分けて出力してもよい。
【００５６】
また、画像形成装置１００は、画像形成ジョブで使用されるスクリーンや用紙に対応するために行う補正とは別に、感光体又は中間転写体又は用紙搬送ベルト等の像担持体にパッチ画像を形成し、このパッチ画像に基づいてキャリブレーションを行ってもよい。このようにすれば、スクリーンや用紙の種類に依存せずに画像濃度を補正する手段を備えることになるので、用紙を用いたジョブ中キャリブレーションは用紙の種類に応じて発生する画像濃度のみを補正する事が可能となる。
【００５７】
なお、画像形成装置１００は、中間転写ベルト２を用いるタンデム構成の画像形成装置であったが、中間転写ベルト以外の中間転写体を用いるものであってもよい。さらに、中間転写方式に限定されず、用紙搬送ベルトに担持された記録媒体、あるいはロールで搬送される記録媒体に直接転写する方式であってもよい。
また、上述した実施形態では、画像形成ジョブによって通常の画像が形成された用紙と、ジョブ中キャリブレーションによってパッチ画像が形成された用紙とを別々の排出トレイ８に排出することで混在を防止していたが、排出トレイ８が1つしかないケースや、上記の２種類の用紙をやむを得ず同じ排出トレイ８に出力しなければならないケースも想定される。このようなケースでは、これら２種類の用紙を１つの排出トレイ８に対しオフセット排出させて、これらが混在するのを防止するようにしてもよい。
また、上述の説明においては、画像を形成する記録媒体の一例として記録紙を挙げて説明したが、これ以外にも、例えばＯＨＰフィルム等のプラスティック、金属、木材、布などの種々の材料を記録媒体として用いることが可能である。
【図面の簡単な説明】
【００５８】
【図１】本発明の実施形態に係る画像形成装置の構成を示す図である。
【図２】同画像形成装置が備える画像形成ユニットの構成を示す図である。
【図３】同画像形成装置の制御系の構成を示すブロック図である。
【図４】同実施形態の実施例１における色再現性の変動を示す図である。
【図５】同実施例においてジョブ中キャリブレーションに関する設定を行うための画面例を示す図である。
【図６】同実施例における画像形成装置の制御部の動作を示すフローチャートである。
【図７】同実施形態の実施例２において、ジョブ中キャリブレーションが行われるタイミングを示す図である。
【図８】同実施形態の実施例２において、ジョブ中キャリブレーションが行われるタイミングを示す図である。
【図９】同実施形態の実施例２において、ジョブ中キャリブレーションが行われるタイミングを示す図である。
【図１０】従来の画像形成ジョブ中における色再現性の変動を示す図である。
【符号の説明】
【００５９】
１Ｙ，１Ｍ，１Ｃ，１Ｋ・・・画像形成ユニット、２・・・中間転写ベルト、４ａ，４ｂ，４ｃ，４ｄ・・・収容トレイ、６・・・転写装置、７・・・定着装置、８ａ，８ｂ，８ｃ・・・排出トレイ、９・・・センサ、１１Ｋ・・・感光体、１２Ｋ・・・帯電装置、１３Ｋ・・・露光装置、１４Ｋ・・・現像装置、１５Ｋ・・・１次転写ロール、１００・・・画像形成装置、１０２・・・表示部（補正タイミング設定手段、補正可否設定手段）、１０２・・・操作部（補正タイミング設定手段、補正可否設定手段）、１１０・・・制御部（ジョブ中補正手段、判断手段、目標濃度記憶手段、条件補正手段、ジョブ間補正手段、補正手段）、１２０・・・記憶部（条件記憶手段、目標濃度記憶手段、記憶手段）、Ｐ・・・用紙（記録媒体）。
【図１】
2005103850.tif 000003
【図２】
2005103850.tif 000004
【図３】
2005103850.tif 000005
【図４】
2005103850.tif 000006
【図５】
2005103850.tif 000007
【図６】
2005103850.tif 000008
【図７】
2005103850.tif 000009
【図８】
2005103850.tif 000010
【図９】
2005103850.tif 000011
【図１０】
2005103850.tif 000012